(57)【要約】      （修正有）【課題】容器本体の上下に、収容物の出し入れ時に開閉可能な蓋付きの開口を設け、収容物の種類や状態に応じて上下のいずれからでも出し入れ可能にして、利便性を高めた蓋付の容器を提供する。【解決手段】食品や物品等の収容物を収容する容器本体１２と、容器本体１２の上部に設けられて収容物を出し入れ可能な上部開口１３と、容器本体１２の下部に設けられて収容物を出し入れ可能な下部開口１４と、上部開口１３を開閉する第１の蓋１５と、下部開口１４を開閉する第２の蓋１６と、を備える。【選択図】図３
0003183465.tif 000002
【実用新案登録請求の範囲】
【請求項１】
食品や物品等の収容物を収容する容器本体と、
容器本体の上部に設けられて前記収容物を出し入れ可能な上部開口と、
容器本体の下部に設けられて前記収容物を出し入れ可能な下部開口と、
前記上部開口を開閉する第１の蓋と、
前記下部開口を開閉する第２の蓋と、
を備えることを特徴とする、蓋付の容器。
【請求項２】
前記第１の蓋と、前記第２の蓋とが、気密構造および液蜜構造の少なくとも一方であることを特徴とする、請求項１に記載の蓋付きの容器。
【請求項３】
前記第１の蓋の上面と第２の蓋の下面とが平坦に形成されていることを特徴とする、請求項１又は２に記載の蓋付きの容器。
【請求項４】
前記第１の蓋および第２の蓋の外径と、前記容器本体の胴部の外径とが、ほぼ同一に形成されていることを特徴とする、請求項１〜３の何れかに記載の蓋付きの容器。
【請求項５】
前記第１の蓋と第２の蓋とが同一構造であることを特徴とする、請求項１〜４の何れかに記載の蓋付きの容器。
【考案の詳細な説明】
【技術分野】
【０００１】
本考案は、食品や各種物品等を収容したり取り出したりするのに好適な蓋付の容器に関するものである。
【背景技術】
【０００２】
食品や食品以外の各種物品を収容する容器として、従来から蓋付の容器が広く知られている。蓋付の容器の中でも、例えば、ピクルスなどの食品を入れておく蓋付の瓶容器では、図６および図７に示すように、収容物の液漏れ防止用として、密閉タイプの蓋１が用いられている。この蓋１は、ビン本体２の口部３に設けてある雄ねじ４を利用したねじ込み式となっている。
【０００３】
この種の蓋付の瓶容器では、食品の収容時や取り出し時に不便さを感じることが多い。例えば、代表的なピクルスは、塩漬けにしたキュウリなどの野菜を、酢、砂糖などからなる漬け液につけ込んだものである。そのため、しばらくの間寝かせて置き、食べるときにその都度、必要量だけビンから取り出すことになるが、食べた分だけ漬け足したりするには不便である。
【０００４】
なぜなら、漬け足したピクルスは、瓶口付近に存在しているため、その下にある十分に漬かったピクルスを取り出し難いという問題が生じるからである。
【０００５】
特許文献１には、生花郵送瓶の技術が記載されている。この生花郵送瓶は、生花の花束を鮮度保持しながら、遠方に郵送や宅配で手軽に届けられるようにする技術である。
【０００６】
具体的には、ペットボトル状の透明プラスチック瓶で、上下に蓋栓があり、中に花束を入れ、水がもれないようにして、また、温度が充分に保てるように上下を蓋栓で密閉した構成である。
【先行技術文献】
【特許文献】
【０００７】
【特許文献１】特開２００２−１９３３７０号公報
【考案の概要】
【考案が解決しようとする課題】
【０００８】
しかしながら、この特許文献１には、ボトル状の透明プラスチック瓶の上下に蓋栓を設ける技術が記載されているが、下の蓋栓は上の蓋栓に比べて小さいために安定性が悪く、倒れやすいという問題ある。
【０００９】
また、上の蓋栓は、ただ単に上から被せて装着する方式の蓋であるため、気密性が悪く、液体を含む収容物の瓶容器としては適さない。
【００１０】
さらに、このボトル状の透明プラスチック瓶の場合、花束５を上の蓋栓の開口側から出し入れする考え方は記載されているものの、下の蓋栓の開口側から出し入れする考え方は記載されていない。
【００１１】
よって、本考案は、容器本体の上下に、収容物の出し入れ時に開閉可能な蓋付きの開口を設け、収容物の種類や状態に応じて上下のいずれからでも出し入れ可能にして、利便性を高めた蓋付の容器を提供することを課題とする。
【課題を解決するための手段】
【００１２】
本考案の蓋付きの容器は、食品や物品等の収容物を収容する容器本体と、容器本体の上部に設けられて前記収容物を出し入れ可能な上部開口と、容器本体の下部に設けられて前記収容物を出し入れ可能な下部開口と、前記上部開口を開閉する第１の蓋と、前記下部開口を開閉する第２の蓋と、を備えることを特徴とする。
【００１３】
本考案の好ましい形態では、前記第１の蓋と、前記第２の蓋とが、気密構造および液蜜構造の少なくとも一方であることを特徴とする。
【００１４】
本考案の好ましい形態では、前記第１の蓋の上面と第２の蓋の下面とが平坦に形成されていることを特徴とする。
【００１５】
本考案の好ましい形態では、前記第１の蓋および第２の蓋の外径と、前記容器本体の胴部の外径とが、ほぼ同一に形成されていることを特徴とする。
【００１６】
本考案の好ましい形態では、前記第１の蓋と第２の蓋とが同一構造であることを特徴とする。
【考案の効果】
【００１７】
本考案の蓋付き容器によれば、容器本体の上下に、収容物の出し入れ時に開閉可能な蓋付きの開口を設けたので、収容物の種類や状態に応じて上下のいずれからでも出し入れ可能にして、利便性を高めることができる。
【図面の簡単な説明】
【００１８】
【図１】本考案の実施形態１に係る蓋付き容器を示す斜視図。
【図２】本考案の実施形態１に係る容器本体の一部を省略した斜視図。
【図３】本考案の実施形態１に係る蓋付き容器の分解正面図。
【図４】本考案の実施形態２に係る図で、（ａ）は正面図、（ｂ）は分解正面図。
【図５】本考案の実施形態３に係る図で、（ａ）は斜視図、（ｂ）は分解正面図。
【図６】従来の蓋付き容器の斜視図。
【図７】従来の蓋付き容器の容器本体の一部を省略した斜視図。
【考案を実施するための形態】
【００１９】
以下、本考案の実施形態について図１ないし図５を参照して説明する。
＜実施形態１＞
図１〜図３は、本考案の実施形態１に係るもので、蓋付きの筒状の瓶容器に適用した例を示すものである。
【００２０】
この実施形態１に係る蓋付き容器１０は、食品や物品等の収容物を収容する容器本体１２と、容器本体１２の上部に設けられて収容物を出し入れ可能な上部開口１３と、容器本体１２の下部に設けられて収容物を出し入れ可能な下部開口１４と、上部開口１３を開閉する第１の蓋１５と、下部開口１４を開閉する第２の蓋１６と、を備えている。
【００２１】
容器本体１２はガラスや透明プラスチック等により筒状に形成されている。もちろん、着色ガラスや着色樹脂により形成してもよい。容器本体１２の上部には、容器本体１２よりも小径の口部１２ａが設けられ、その口部１２ａの上端面が上部開口１３となっている。口部１２ａには雄ねじ１７が設けられている。第１の蓋１５には、この雄ねじ１７と螺合（噛み合う）雌ねじ１５ｂが設けられている。
【００２２】
また、容器本体１２の下部には、容器本体１２よりも小径の口部１２ｂが設けられ、その口部１２ｂの下端面が下部開口１４となっている。口部１２ｂには雄ねじ１８が設けられている。第２の蓋１６には、この雄ねじ１８と噛み合う雌ねじ１６ｂが設けられている。
【００２３】
本実施形態では、第１の蓋１５と、第２の蓋１６とが、気密構造および液蜜構造となっている。これにより、容器本体１２内の収容物を気密及び液密に密閉することができる。
【００２４】
また、第１の蓋１５の上面１５ａと、第２の蓋１６の下面１６ａとがそれぞれ平坦に形成されている。これにより、第１の蓋１５又は第２の蓋１６の何れかが下方になるように、この蓋付き容器１０を置いても真っ直ぐ安定な立ち状態を維持することができる。したがって、この蓋付容器１０をピクルス容器に用いた場合でも、食べた分だけ漬け足した後、付け足した部分が下になるように、容器１０を置いた状態でも、上に位置している蓋を開けて良く漬いているピクルスを容易に取り出すことができ、その分、利便性が向上する。
【００２５】
また、第１の蓋１５および第２の蓋１６の外径と、容器本体１２の胴部１２ｃの外径と、がほぼ同一に形成されている。これにより、第１の蓋１５および第２の蓋１６の外径を充分に大きくすることができる。したがって、第１の蓋１５又は第２の蓋１６の何れかが下方になるように、この蓋付き容器１０を平坦な場所に置いても（設置しても）、倒れ難くしてより安定状態に保持することが可能になる。
【００２６】
この実施形態においては、第１の蓋１５と第２の蓋１６とを同一構造にしてある。即ち、同じ構造の蓋を用いている。これにより、蓋を１種類にして制作性や低コスト化を図ることができる。
また、この蓋付き容器によれば、容器本体１２の上下に、収容物の出し入れ時に開閉可能な蓋付きの開口を設けたので、収容物の種類や状態に応じて上下のいずれからでも出し入れ可能にして、利便性を高めることができる。
【００２７】
＜実施形態２＞
図４（ａ）、（ｂ）は、本考案の実施形態２に係る蓋付き容器１０を示す正面図である。なお、これらの図において、図１〜図３と基本的に同一構成要素については同一の符号を付してその説明を簡略化する。
【００２８】
この実施形態２における蓋付き容器１０も、食品や物品等の収容物を収容する容器本体１２と、容器本体１２の上部に設けられて収容物を出し入れ可能な上部開口１３と、容器本体１２の下部に設けられて収容物を出し入れ可能な下部開口１４と、上部開口１３を開閉する第１の蓋１５と、下部開口１４を開閉する第２の蓋１６と、を備えている。
【００２９】
但し、この実施形態２では、茶壺等に好適なように、口部１２ａ、１２ｂをそれぞれ円筒状に形成してある。したがって、第１の蓋１５及び第２の蓋１６の内周面にも雌ねじは設けられていない。
【００３０】
この実施形態２によれば、例えばこの茶壺状の容器本体１２内にお茶を収容しておき、その使用につれて、開口１３から種類の異なるお茶を更に収容した場合でも、上部開口１３および下部開口１４を有しているので、先に収容していたお茶と、後から収容したお茶の何れも区別して取り出すことができる。これにより、利便性を大きく向上させることができる。
【００３１】
＜実施形態３＞
図５は、本考案の実施形態３に係る蓋付き容器１０を示す正面図である。なお、これらの図において、図１〜図４と基本的に同一構成要素については同一の符号を付してその説明を簡略化する。
【００３２】
この実施形態３における蓋付き容器１０も、食品や物品等の収容物を収容する容器本体１２と、容器本体１２の上部に設けられて収容物を出し入れ可能な上部開口１３と、容器本体１２の下部に設けられて収容物を出し入れ可能な下部開口１４と、上部開口１３を開閉する第１の蓋１５と、下部開口１４を開閉する第２の蓋１６と、を備えている。
【００３３】
但し、この実施形態３では、米びつ等に好適なように、長方形状の箱形に形成してある。したがって、第１の蓋１５及び第２の蓋１６の内周面にも雌ねじは設けられていない。
【００３４】
この実施形態３によれば、例えばこの米櫃状の容器本体１２内にお米を収容しておき、その使用につれて、開口１３から種類の異なるお米を更に収容した場合でも、その境界部分にシート等を敷いて区分しておくだけで、上部開口１３および下部開口１４を有しているので、先に収容していたお米と、後から収容したお米の何れも区別して取り出すことができる。これにより、利便性を大きく向上させることができる。
【００３５】
なお、本考案の蓋付き容器は、以上の実施形態に限らず、種々の蓋付き容器に適用することができる。
【符号の説明】
【００３６】
１０  蓋付き容器
１２  容器本体
１３  上部開口
１４  下部開口
１５  第１の蓋
１５ａ  上面
１６  第２の蓋
１６ａ  下面
【図１】
0003183465.tif 000003
【図２】
0003183465.tif 000004
【図３】
0003183465.tif 000005
【図４】
0003183465.tif 000006
【図５】
0003183465.tif 000007
【図６】
0003183465.tif 000008
【図７】
0003183465.tif 000009